(57)【要約】  【課題】フレキシブルダクトの収納袋への収納を簡単にしても、コストパフォーマンスの低下しない、洗浄についてもしやすくすることのできる、またフレキシブルダクトの使用が制限されない、収納袋付きフレキシブルダクトを提供すること。  【解決手段】その一端部近傍３１ａに雄ファスナー片３３が設けられたフレキシブルダクト３１と、その底面近傍４１ａに雌ファスナー片４２が設けられた収納袋４１とを含んで構成し、収納袋４１でフレキシブルダクト３１の外周面が覆われるように、雄ファスナー片３３と雌ファスナー片４２とを結合し、雄ファスナー片３３と雌ファスナー片４２との結合の解離によって、フレキシブルダクト３１と収納袋４１とが分離される構造にする。  【選択図】  図４
0003110722.tif 000002
【実用新案登録請求の範囲】
【請求項１】
その一端部近傍に雄結合部材が設けられたフレキシブルダクトと、
その一端部近傍に雌結合部材が設けられた収納袋とを含んで構成され、
該収納袋で前記フレキシブルダクトの外周面が覆われるように、前記雄結合部材と前記
雌結合部材とが結合された収納袋付きフレキシブルダクトであって、
前記雄結合部材と前記雌結合部材との結合の解離によって、前記フレキシブルダクトと
前記収納袋とが分離されるようになっていることを特徴とする収納袋付きフレキシブルダ
クト。
【請求項２】
前記収納袋の前記フレキシブルダクトとの結合部から他端部までの長さが、最も小さく
縮んだ状態にある前記フレキシブルダクトの前記収納袋との結合部から他端部までの長さ
よりも長く設定されていることを特徴とする請求項１記載の収納袋付きフレキシブルダク
ト。
【請求項３】
前記雄結合部材と前記雌結合部材との組み合わせが、雄ホックと雌ホックとの組み合わ
せ、雄スライド・ファスナー片と雌スライド・ファスナー片との組み合わせ、雄面ファス
ナーと雌面ファスナーとの組み合わせ、ボタンとボタン孔との組み合わせ、並びに紐と紐
孔との組み合わせのいずれかの組み合わせであることを特徴とする請求項１又は請求項２
記載の収納袋付きフレキシブルダクト。
【請求項４】
前記収納袋の他端部近傍に把持部材が設けられていることを特徴とする請求項１〜３の
いずれかの項に記載の収納袋付きフレキシブルダクト。
【請求項５】
前記収納袋の他端部近傍に肩掛け用ベルトを取り付けるための取付部材が設けられてい
ることを特徴とする請求項１〜４のいずれかの項に記載のフレキシブルダクト。
【請求項６】
請求項１〜５のいずれかの項に記載の収納袋付きフレキシブルダクトを構成するフレキ
シブルダクトであって、
その一端部近傍に設けられた前記雄結合部材と、前記収納袋の一端部近傍に設けられた
前記雌結合部材との結合によって、前記収納袋と一体化され、その外周面が前記収納袋に
よって覆われるようになっていることを特徴とするフレキシブルダクト。
【請求項７】
請求項１〜５のいずれかの項に記載の収納袋付きフレキシブルダクトを構成する収納袋
であって、
その一端部近傍に設けられた前記雌結合部材と、前記フレキシブルダクトの一端部近傍
に設けられた前記雄結合部材との結合によって、前記フレキシブルダクトと一体化され、
その中に前記フレキシブルダクトが収納されるようになっていることを特徴とする収納袋
。
【考案の詳細な説明】
【技術分野】
【０００１】
本考案は収納袋付きフレキシブルダクト、フレキシブルダクト、及び収納袋に関し、よ
り詳細には、換気に用いられる送風管の一種であるフレキシブルダクトに該フレキシブル
ダクトを収納するための収納袋が付いた収納袋付きフレキシブルダクト、フレキシブルダ
クト、及び収納袋に関する。
【背景技術】
【０００２】
送風管は、換気を必要とする作業場等で、送風機等によって汚染空気や粉塵を作業場外
へ放出したり、新鮮な空気を作業場内へ供給するのに使用されている。送風管の一種であ
るフレキシブルダクトは、自由自在に曲げることのできる蛇腹形状をしたチューブで構成
され、その使用目的の幅は広い。
【０００３】
フレキシブルダクトはその構造上、伸びたり縮んだりするため、運搬や保管が難しいと
いった問題があった。そこで、フレキシブルダクトを縮めて収納袋に収納し、そして運搬
し、保管するといったことが行われている。このように、フレキシブルダクトを収納袋に
収納することによって運搬や保管を容易にし、また運搬時にフレキシブルダクトに傷がつ
いたり、保管時にフレキシブルダクトに埃がたまるのを防止している。
【０００４】
また、下記の特許文献１には、架台と挟持部材との間にフレキシブルダクトを挟んで、
前記架台と前記挟持部材とを支柱を介して固定することによって、フレキシブルダクトを
収納する技術について開示されている。しかしながら、収納袋へ収納せず、前記架台と前
記挟持部材との間にフレキシブルダクトを挟んで収納するだけでは、運搬時にフレキシブ
ルダクトに傷がつきやすく、また保管時にフレキシブルダクトに埃がたまってしまう。そ
のため、フレキシブルダクトについては、やはり収納袋へ収納するのが好ましい。
【０００５】
しかしながら、フレキシブルダクトを縮め、収納袋へ収納するという作業は決して容易
ではない。フレキシブルダクトは大抵、伸びた状態で５ｍ程ある（縮んだ状態で４０ｃｍ
程）。また、上記したように、フレキシブルダクトは蛇腹形状をしたチューブであり、可
撓性を有し、自由自在に曲がる。つまり、このような自由自在に曲がるものを５ｍから４
０ｃｍにまで縮めなければならない。
【０００６】
そこで最近では、収納袋と一体化したフレキシブルダクトが実用化されている。図７は
従来の収納袋付きフレキシブルダクトを示した部分透過側面図であり、（ａ）はフレキシ
ブルダクトが伸びた状態を示し、（ｂ）はフレキシブルダクトが縮んだ状態を示している
。図中１はフレキシブルダクトを示しており、フレキシブルダクト１は螺旋形に鋼線（図
示せず）が巻かれ、その鋼線を覆うようにテープ２が巻かれ、蛇腹形状をしたチューブで
構成されている。
【０００７】
フレキシブルダクト１を覆うように、フレキシブルダクト１の一端部近傍１ａと収納袋
３の一端部近傍３ａとが溶着されている。図７（ｂ）に示したように、フレキシブルダク
ト１が縮められると、フレキシブルダクト１が収納袋３にほぼ完全に収納されるようにな
っている。
【０００８】
また、図７（ａ）に示したように、フレキシブルダクト１が伸びた状態であっても、フ
レキシブルダクト１の一部は収納袋３に納まっているので、作業者はフレキシブルダクト
１を縮めるといった作業を行うだけで、フレキシブルダクト１を収納袋３へ収納すること
ができる。
【０００９】
また、フレキシブルダクト１の一端部近傍１ａが収納袋３によって固定され、あたかも
別の作業者に支えられたような状態になっているので、フレキシブルダクト１を縮めると
いう作業も簡単になる。このように、フレキシブルダクト１と収納袋３とが一体化されて
いると、フレキシブルダクト１を収納袋３へ簡単に収納することができる。
【００１０】
フレキシブルダクト１及び収納袋３のいずれも丈夫に作られるが、それでも破損するこ
とはある。従来のように、フレキシブルダクトと収納袋とが一体化されていなければ、フ
レキシブルダクトが破損すれば、フレキシブルダクトだけが使い物にならなくなり、収納
袋が破損すれば、収納袋だけが使い物にならなくなるだけで済んでいた。
【００１１】
ところが、図７に示したように、フレキシブルダクト１と収納袋３とが一体化されてい
ると、いずれか一方が破損しただけでも、フレキシブルダクト１及び収納袋３の両方共が
使い物にならなくなり、コストパフォーマンスが悪いという問題があった。また、溶着さ
れた部分というのは、その他の部分に比べて破損しやすいため、収納袋３と一体化された
フレキシブルダクト１は、一体化されていないものに比べて破損しやすくなる。
【００１２】
また、フレキシブルダクト１は使用されると汚れるため、時には洗浄が必要になるが、
フレキシブルダクト１に収納袋３が付いていると、フレキシブルダクト１の洗浄がしにく
くなり、洗浄に長時間を要するという問題があった。収納袋３についても同様に、洗浄が
しにくくなる。
【００１３】
また、フレキシブルダクト１は様々な場面に使用されるものであり、狭い場所で使用さ
れることもあれば、曲げて使用されることもある。ところが、フレキシブルダクト１に付
けられた収納袋３が邪魔になって、狭い場所での使用が困難になったり、フレキシブルダ
クト１の可撓性を十分に発揮することができなくなるおそれがある。
【特許文献１】特開２００３−２３１５７６号公報
【考案の開示】
【課題を解決するための手段及びその効果】
【００１４】
本考案は上記課題に鑑みなされたものであって、フレキシブルダクトの収納袋への収納
を簡単にしても、コストパフォーマンスの低下しない、洗浄についてもしやすくすること
のできる、またフレキシブルダクトの使用が制限されない、収納袋付きフレキシブルダク
ト、フレキシブルダクト、及び該フレキシブルダクトを収納するための収納袋を提供する
ことを目的としている。
【００１５】
上記目的を達成するために本考案に係る収納袋付きフレキシブルダクト（１）は、その
一端部近傍に雄結合部材が設けられたフレキシブルダクトと、その一端部近傍に雌結合部
材が設けられた収納袋とを含んで構成され、該収納袋で前記フレキシブルダクトの外周面
が覆われるように、前記雄結合部材と前記雌結合部材とが結合された収納袋付きフレキシ
ブルダクトであって、前記雄結合部材と前記雌結合部材との結合の解離によって、前記フ
レキシブルダクトと前記収納袋とが分離されるようになっていることを特徴としている。
【００１６】
上記収納袋付きフレキシブルダクト（１）によれば、前記フレキシブルダクトの一端部
近傍に設けられた前記雄結合部材と前記収納袋の一端部近傍に設けられた前記雌結合部材
とが結合され、前記フレキシブルダクトの外周面は前記収納袋に覆われている。すなわち
、前記フレキシブルダクトの少なくとも一部分は前記収納袋に納まっている。従って、作
業者は前記フレキシブルダクトを縮めるという作業を行うだけで、前記フレキシブルダク
トを前記収納袋へ収納することができる。
【００１７】
また、前記フレキシブルダクトの一端部近傍が前記収納袋によって固定され、あたかも
別の作業者に支えられたような状態になっているので、前記フレキシブルダクトを縮める
という作業も簡単になる。また、前記フレキシブルダクトと前記収納袋との一体化は、前
記雄結合部材と前記雌結合部材との結合によるものであり、溶着などの接着によるもので
はないので、従来のものよりも接合部分での強度を高めることができる。
【００１８】
さらに、上記収納付きフレキシブルダクト（１）によれば、前記雄結合部材と前記雌結
合部材との結合の解離によって、前記フレキシブルダクトと前記収納袋とが分離されるよ
うになっているので、前記フレキシブルダクトが破損すれば、前記フレキシブルダクトが
使い物にならなくなるだけで、前記収納袋は使い物になり、前記収納袋が破損すれば、前
記収納袋が使い物にならなくなるだけで、前記フレキシブルダクトは使い物になり、コス
トパフォーマンスを向上させることができる。
【００１９】
また、前記フレキシブルダクトの洗浄時には前記収納袋を分離させて、洗浄をしやすく
することができ、洗浄に要する時間を短くすることができる。また、前記収納袋が邪魔に
なって生じていた、前記フレキシブルダクトの使用制限（例えば、狭い場所での使用が困
難になる、可撓性を十分に発揮することができなくなるといった使用制限）についても解
消することができる。
【００２０】
前記雄結合部材と前記雌結合部材との組み合わせとしては、例えば、凸形状をした雄ホ
ックと凹形状をした雌ホックとの組み合わせが挙げられるが、前記雄ホックを前記雄結合
部材ではなく、前記雌結合部材として採用しても良く、前記雌ホックを前記雌結合部材で
はなく、前記雄結合部材として採用しても良い。
【００２１】
また、本考案に係る収納袋付きフレキシブルダクト（２）は、上記収納袋付きフレキシ
ブルダクト（１）において、前記収納袋の前記フレキシブルダクトとの結合部から他端部
までの長さが、最も小さく縮んだ状態にある前記フレキシブルダクトの前記収納袋との結
合部から他端部までの長さよりも長く設定されていることを特徴としている。
【００２２】
上記収納袋付きフレキシブルダクト（２）によれば、前記収納袋の前記結合部から他端
部（すなわち、前記雌結合部材が設けられている側と逆側の端部）までの長さが、最も小
さく縮んだ状態にある前記フレキシブルダクトの前記結合部から他端部（すなわち、前記
雄結合部材が設けられている側と逆側の端部）までの長さよりも長く設定されているので
、前記フレキシブルダクトをしっかりと小さく縮めれば、前記フレキシブルダクトを前記
収納袋へ完全に収納することができる。
【００２３】
また、本考案に係る収納袋付きフレキシブルダクト（３）は、上記収納袋付きフレキシ
ブルダクト（１）又は（２）において、前記雄結合部材と前記雌結合部材との組み合わせ
が、雄ホックと雌ホックとの組み合わせ、雄スライド・ファスナー片と雌スライド・ファ
スナー片との組み合わせ、雄面ファスナーと雌面ファスナーとの組み合わせ、ボタンとボ
タン孔との組み合わせ、並びに紐と紐孔との組み合わせのいずれかの組み合わせであるこ
とを特徴としている。
【００２４】
雄ホックと雌ホックとの組み合わせとしては、例えば、図３に示したような、凸形状を
した雄ホック１３と、凹形状をした雌ホック２２との組み合わせが挙げられる。また、雄
スライド・ファスナー片と雌スライド・ファスナー片との組み合わせとしては、例えば、
図４〜図６に示したような、雄ファスナー片３３と、雄ファスナー片３３を接続するため
のスライド４３が設けられた雌ファスナー片４２との組み合わせが挙げられる。
【００２５】
雄面ファスナーと雌面ファスナーとしては、例えば、フック状のテープと該テープにか
み合うパイル状のテープとの組み合わせ、いわゆるマジックテープ（登録商標）が挙げら
れる。ボタン孔はボタンを通すための孔であり、紐孔は紐を通すための孔であり、ボタン
とボタン孔との組み合わせ、及び紐と紐孔との組み合わせについては、例を挙げるまでも
ない。なお、ここで言う紐とは紐状部材のことであり、ロープなども含まれる。
【００２６】
上記収納袋付きフレキシブルダクト（３）によれば、前記雄結合部材と前記雌結合部材
との着脱を自在に、かつ容易に行うことができる。また、前記雄結合部材と前記雌結合部
材とが結合された時の結合力についても十分に確保することができる。
【００２７】
また、本考案に係る収納袋付きフレキシブルダクト（４）は、上記収納袋付きフレキシ
ブルダクト（１）〜（３）のいずれかにおいて、前記収納袋の他端部近傍に把持部材が設
けられていることを特徴としている。
【００２８】
上記収納袋付きフレキシブルダクト（４）によれば、前記収納袋の他端部（すなわち、
前記雌結合部材が設けられている側と逆側の端部）近傍に前記把持部材が設けられている
。従って、運搬者や管理者は前記把持部材を使用することによって、前記フレキシブルダ
クトを容易に持ち運びすることができるので、運搬や整理整頓の作業を効率良く行うこと
ができる。
【００２９】
また、本考案に係る収納袋付きフレキシブルダクト（５）は、上記収納袋付きフレキシ
ブルダクト（１）〜（４）のいずれかにおいて、前記収納袋の他端部近傍に肩掛け用ベル
トを取り付けるための取付部材が設けられていることを特徴としている。
【００３０】
上記収納袋付きフレキシブルダクト（５）によれば、前記収納袋の他端部（すなわち、
前記雌結合部材が設けられている側と逆側の端部）近傍に肩掛け用ベルトを取り付けるた
めの前記取付部材が設けられているので、前記収納袋に肩掛け用ベルトを取り付けること
ができる。従って、運搬者や管理者は前記肩掛け用ベルトを使用することによって、前記
フレキシブルダクトを肩に掛けて持ち運びすることができるので、運搬作業をよりしやす
いものにすることができる。
【００３１】
また、本考案に係るフレキシブルダクト（１）は、上記収納袋付きフレキシブルダクト
（１）〜（５）のいずれかを構成するフレキシブルダクトであって、その一端部近傍に設
けられた前記雄結合部材と、前記収納袋の一端部近傍に設けられた前記雌結合部材との結
合によって、前記収納袋と一体化され、その外周面が前記収納袋によって覆われるように
なっていることを特徴としている。
【００３２】
上記フレキシブルダクト（１）によれば、前記雄結合部材と前記雌結合部材との結合に
よって、前記収納袋と一体化され、その外周面が前記収納袋によって覆われるようになっ
ている。すなわち、少なくともその一部分が前記収納袋に納まるようになる。従って、作
業者はフレキシブルダクトを縮めるという作業を行うだけで、前記フレキシブルダクトを
前記収納袋へ収納することができる。
【００３３】
また、前記フレキシブルダクトの一端部近傍が前記収納袋によって固定され、あたかも
別の作業者に支えられたような状態になっているので、前記フレキシブルダクトを縮める
という作業も簡単になる。また、前記雄結合部材と前記雌結合部材とを結合させなければ
、前記収納袋とは別体になるので、該収納袋と一体化させたときに生じる種々の問題を発
生させないようにすることができる。
【００３４】
また、本考案に係る収納袋（１）は、上記収納袋付きフレキシブルダクト（１）〜（５
）のいずれかを構成する収納袋であって、その一端部近傍に設けられた前記雌結合部材と
、前記フレキシブルダクトの一端部近傍に設けられた前記雄結合部材との結合によって、
前記フレキシブルダクトと一体化され、その中に前記フレキシブルダクトが収納されるよ
うになっていることを特徴としている。
【００３５】
上記収納袋（１）によれば、前記雄結合部材と前記雌結合部材との結合によって、前記
フレキシブルダクトと一体化され、その中に前記フレキシブルダクトが収納されるように
なっている。すなわち、その中に前記フレキシブルダクトの一部分が納まるようになる。
従って、作業者は前記フレキシブルダクトを縮めるという作業を行うだけで、前記フレキ
シブルダクトを前記収納袋へ収納することができる。
【００３６】
また、前記フレキシブルダクトの一端部近傍が前記収納袋によって固定され、あたかも
別の作業者に支えられたような状態になっているので、前記フレキシブルダクトを縮める
という作業も簡単になる。また、前記雄結合部材と前記雌結合部材とを結合させなければ
、前記フレキシブルダクトとは別体になるので、該フレキシブルダクトと一体化させたと
きに生じる種々の問題を発生させないようにすることができる。
【考案を実施するための最良の形態】
【００３７】
以下、本考案に係る収納袋付きフレキシブルダクト、フレキシブルダクト、及び収納袋
の実施の形態を図面に基づいて説明する。
【００３８】
図１は、実施の形態（１）に係る収納袋付きフレキシブルダクトを示した部分透過側面
図であり、（ａ）はフレキシブルダクトが伸びた状態を示し（ｂ）はフレキシブルダクト
が縮んだ状態を示している。図２は、立てた状態の収納袋付きフレキシブルダクトを示し
た側面図である。
図３（ａ）は、フレキシブルダクトと収納袋との結合部を示した側方断面図であり、図
３（ｂ）は、フレキシブルダクトと収納袋とが分離された状態を示した側方断面図である
。
【００３９】
図中１１はフレキシブルダクトを示しており、フレキシブルダクト１１は螺旋形に鋼線
（図示せず）が巻かれ、その鋼線を覆うようにテープ１２が巻かれ、蛇腹形状をしたチュ
ーブで構成されている。フレキシブルダクト１１の一端部近傍１１ａには凸部形状（図３
参照）をした雄ホック１３が設けられている。
【００４０】
フレキシブルダクト１１を収納するための収納袋２１の底面近傍２１ａには裏面が凹部
形状（図３参照）をした雌ホック２２が設けられ、図１、図２、図３（ａ）に示したよう
に、収納袋２１でフレキシブルダクト１１の外周面が覆われるように、雄ホック１３と雌
ホック２２とが結合されている。
【００４１】
収納袋２１の底面は塞がっておらず、収納袋２１の底面開口部２３からフレキシブルダ
クト１１の一部がはみ出している。また、図１（ａ）に示したように、収納袋２１の頂面
開口部２４からフレキシブルダクト１１を伸ばすことができるようになっている。また、
収納袋２１の頂面近傍２１ｂにロープ孔２５が複数形成され、そのロープ孔２５にロープ
２６が通され、ロープ２６が把持部材の役割を果たすようになっている。
【００４２】
上記実施の形態（１）に係る収納袋付きフレキシブルダクトによれば、フレキシブルダ
クト１１の一端部近傍１１ａに設けられた雄ホック１３と収納袋２１の底面近傍２１ａに
設けられた雌ホック２２とが結合され、フレキシブルダクト１１の外周面は収納袋２１に
覆われている。
【００４３】
すなわち、図１（ａ）に示したように、たとえフレキシブルダクト１１が伸びた状態で
あったとしても、フレキシブルダクト１１の少なくとも一部分は収納袋２１に納まってい
る。従って、作業者はフレキシブルダクト１１を縮めるという作業を行うだけで、フレキ
シブルダクト１１を収納袋２１へ収納することができる。
【００４４】
また、フレキシブルダクト１１の一端部近傍１１ａが収納袋２１によって固定され、あ
たかも別の作業者に支えられたような状態になっているので、フレキシブルダクト１１を
縮めるという作業も簡単になる。また、フレキシブルダクト１１と収納袋２１との一体化
は、雄ホック１３と雌ホック２２との結合によるものであり、溶着などの接着によるもの
ではないので、従来のものよりも結合部分での強度を高めることができる。
【００４５】
さらに、上記実施の形態（１）に係る収納付きフレキシブルダクトによれば、図３（ｂ
）に示したように、雄ホック１３と雌ホック２２との結合の解離によって、フレキシブル
ダクト１１と収納袋２１とが分離されるようになっているので、フレキシブルダクト１１
が破損しても、フレキシブルダクト１１が使い物にならなくなるだけで、収納袋２１は使
い物になり、収納袋２１が破損しても、収納袋２１が使い物にならなくなるだけで、フレ
キシブルダクト１１は使い物になり、コストパフォーマンスを向上させることができる。
【００４６】
また、フレキシブルダクト１１の洗浄時には収納袋２１を分離させて、洗浄をしやすく
することができ、洗浄に要する時間を短くすることができる。また、収納袋２１が邪魔に
なることによって生じていた、フレキシブルダクト１１の使用制限（例えば、狭い場所で
の使用が困難になるおそれがあった、可撓性を十分に発揮することができないおそれがあ
った）についても解消することができる。
【００４７】
また、図１（ｂ）に示したように、収納袋２１の雌ホック２２（結合部）から頂面開口
部２４までの長さＬ21が、最も小さく縮んだ状態にあるフレキシブルダクト１１の雄ホッ
ク１３（結合部）から先端部までの長さＬ11よりも長く設定されているので、フレキシブ
ルダクト１１をしっかりと小さく縮めれば、フレキシブルダクト１１を収納袋２１へ完全
に収納することができる。
【００４８】
また、収納袋２１の頂面近傍２１ｂにロープ孔２５が複数形成され、そのロープ孔２５
に把持部材の役割を果たすロープ２６が通されているので、運搬者や管理者はロープ２６
を使用することによって、収納袋付きフレキシブルダクトを容易に持ち運びすることがで
きる。従って、運搬や整理整頓の作業を効率良く行うことができる。
【００４９】
なお、別の実施の形態では、収納袋２１の頂面近傍２１ｂに肩掛け用ベルトを取り付け
るための取付部材を設け、収納袋２１に肩掛け用ベルトを取り付けることができるように
しても良い。運搬者や管理者は前記肩掛け用ベルトを使用することによって、収納袋付き
フレキシブルダクトを肩に掛けて持ち運びすることができるようになり、運搬作業をより
しやすいものにすることができる。
【００５０】
また、上記実施の形態（１）に係る収納袋付きフレキシブルダクトでは、フレキシブル
ダクト１１に雄ホック１３が設けられ、収納袋２１に雌ホック２２が設けられているが、
別の実施の形態に係る収納袋付きフレキシブルダクトでは、フレキシブルダクト１１に雌
ホックを設け、収納袋２１に雄ホックを設けるようにしても良い。
【００５１】
図４は、実施の形態（２）に係る収納袋付きフレキシブルダクトを示した部分透過側面
図であり、（ａ）はフレキシブルダクトが伸びた状態を示し（ｂ）はフレキシブルダクト
が縮んだ状態を示している。図５は、立てた状態の収納袋付きフレキシブルダクトを示し
た側面図である。
図６（ａ）は、収納袋と分離されたフレキシブルダクトを示した側面図であり、図６（
ｂ）は、フレキシブルダクトと分離された収納袋を示した側面図である。
【００５２】
図中３１はフレキシブルダクトを示しており、フレキシブルダクト３１は螺旋形に鋼線
（図示せず）が巻かれ、その鋼線を覆うようにテープ３２が巻かれ、蛇腹形状をしたチュ
ーブで構成されている。フレキシブルダクト３１の一端部近傍３１ａには雄ファスナー片
３３が設けられている。
【００５３】
フレキシブルダクト３１を収納するための収納袋４１の底面近傍４１ａには雌ファスナ
ー片４２が設けられ、雌ファスナー片４２には雄ファスナー片３３と接続するためのスラ
イド４３が設けられ、スライド４３には引き手４４が取り付けられている。図４、図５に
示したように、収納袋４１でフレキシブルダクト３１の外周面が覆われるように、雄ファ
スナー片３３と雌ファスナー片４２とが結合されている。
【００５４】
収納袋４１の底面は塞がっておらず、収納袋４１の底面開口部４５からフレキシブルダ
クト３１の一部がはみ出している。また、図４（ａ）に示したように、収納袋４１の頂面
開口部４６からフレキシブルダクト３１を伸ばすことができるようになっている。また、
収納袋４１の頂面近傍４１ｂにロープ孔４７が複数形成され、そのロープ孔４７にロープ
４８が通され、ロープ４８が把持部材の役割を果たすようになっている。
【００５５】
上記実施の形態（２）に係る収納袋付きフレキシブルダクトによれば、フレキシブルダ
クト３１の一端部近傍３１ａに設けられた雄ファスナー片３３と収納袋４１の底面近傍４
１ａに設けられた雌ファスナー片４２とが結合され、フレキシブルダクト３１の外周面は
収納袋４１に覆われている。
【００５６】
すなわち、図４（ａ）に示したように、たとえフレキシブルダクト３１が伸びた状態で
あったとしても、フレキシブルダクト３１の少なくとも一部分は収納袋４１に納まってい
る。従って、作業者はフレキシブルダクト３１を縮めるという作業を行うだけで、フレキ
シブルダクト３１を収納袋４１へ収納することができる。
【００５７】
また、フレキシブルダクト３１の一端部近傍３１ａが収納袋４１によって固定され、あ
たかも別の作業者に支えられたような状態になっているので、フレキシブルダクト３１を
縮めるという作業も簡単になる。また、フレキシブルダクト３１と収納袋４１との一体化
は、雄ファスナー片３３と雌ファスナー片４２との結合によるものであり、溶着などの接
着によるものではないので、従来のものよりも結合部分での強度を高めることができる。
【００５８】
また、図４（ｂ）に示したように、収納袋４１の雄ファスナー片３３との結合部から頂
面開口部４６までの長さＬ41が、最も小さく縮んだ状態にあるフレキシブルダクト３１の
雌ファスナー４２との結合部から先端部までの長さＬ31よりも長く設定されているので、
フレキシブルダクト３１をしっかりと小さく縮めれば、フレキシブルダクト３１を収納袋
４１へ完全に収納することができる。
【００５９】
上記実施の形態（２）に係る収納袋付きフレキシブルダクトでは、収納袋４１に設けら
れた雌ファスナー片４２にスライド４３が取り付けられているが、別の実施の形態に係る
収納袋付きフレキシブルダクトでは、フレキシブルダクト３１に設けられた雄ファスナー
３３にスライドを取り付けるようにしても良い。
【００６０】
また、上記実施の形態（１）又は（２）に係る収納袋付きフレキシブルダクトでは、フ
レキシブルダクト１１、３１に採用する結合部材と、収納袋２１、４１に採用する結合部
材との組み合わせとして、雄ホック１３と雌ホック２２との組み合わせや、雄ファスナー
片３３と雌ファスナー片４２との組み合わせについて説明しているが、本考案に係る収納
袋付きフレキシブルダクトで採用する結合部材の組み合わせはこれらに限定されず、その
他の組み合わせであっても良い。例えば、フック状のテープと該テープにかみ合うパイル
状のテープとの組み合わせや、ボタンとボタン孔との組み合わせ、紐と紐孔との組み合わ
せなどが挙げられる。
【図面の簡単な説明】
【００６１】
【図１】本発明の実施の形態（１）に係る収納袋付きフレキシブルダクトを示した部分透過側面図であり、（ａ）はフレキシブルダクトが伸びた状態を示し（ｂ）はフレキシブルダクトが縮んだ状態を示している。
【図２】立てた状態の収納袋付きフレキシブルダクトを示した側面図である。
【図３】（ａ）はフレキシブルダクトと収納袋との結合部を示した側方断面図であり、（ｂ）はフレキシブルダクトと収納袋とが分離された状態を示した側方断面図である。
【図４】実施の形態（２）に係る収納袋付きフレキシブルダクトを示した部分透過側面図であり、（ａ）はフレキシブルダクトが伸びた状態を示し（ｂ）はフレキシブルダクトが縮んだ状態を示している。
【図５】立てた状態の収納袋付きフレキシブルダクトを示した側面図である。
【図６】（ａ）は収納袋と分離されたフレキシブルダクトを示した側面図であり、（ｂ）はフレキシブルダクトと分離された収納袋を示した側面図である。
【図７】従来の収納袋付きフレキシブルダクトを示した部分透過側面図であり、（ａ）はフレキシブルダクトが伸びた状態を示し（ｂ）はフレキシブルダクトが縮んだ状態を示している。
【符号の説明】
【００６２】
１１、３１  フレキシブルダクト
１３  雄ホック
２１、４１  収納袋
２２  雌ホック
２５、４７  ロープ孔
２６、４８  ロープ
３３  雄ファスナー片
４２  雌ファスナー片
４３  スライド
【図１】
0003110722.tif 000003
【図２】
0003110722.tif 000004
【図３】
0003110722.tif 000005
【図４】
0003110722.tif 000006
【図５】
0003110722.tif 000007
【図６】
0003110722.tif 000008
【図７】
0003110722.tif 000009